(57)【要約】【課題】貯留室の前面側に投入口と排出口を設け，ゴミの紐状をスクリューに巻き込まないようにし、一定の回転方向のスクリューでゴミの貯留量を偏らないようにする。【解決手段】貯留室の前面側に投入口と排出口を設ける。投入口に１本の投入スクリューを後方へゴミを送り、また排出口に１本の排出スクリューを前方へゴミを送る構成する。【選択図】図１
2005104720.tif 000002
【特許請求の範囲】
【請求項１】
貯留室（１）の前面側に投入口（２）と排出口（３）を設け、投入口（２）の下に投入室（４）を設け、投入室（４）の下に投入樋（５）を設け、投入樋（５）の下に排出樋（６）を設け、貯留室（１）の下部に排出樋（６）を設け、排出樋（６）の前面側に排出口（３）を設け、
投入樋（５）の上に投入スクリュー（７）を設け、投入スクリュー（７）に投入羽根（８）と投入軸（９）を構成し、投入軸受（１０）を投入樋（５）の前壁（１１）に設け、投入軸（９）の前端の片持部分（１２）を投入軸受（１０）に貫通し枢着し、投入モーター（１３）に取付け、投入スクリュー（７）を回転し、後方へゴミを送り、
排出樋（６）の上に排出スクリュー（１４）を設け、排出スクリュー（１４）に排出羽根（１５）と排出軸（１６）を構成し、排出軸受（１７）を排出樋（６）の後壁（１８）に設け、排出軸（１６）の後端の片持部分（１９）を排出軸受（１７）に貫通して枢着し、排出モーター（２０）に取付け、排出スクリュー（１４）を回転し前方へゴミを送ることを特徴とするスクリュー型塵芥貯留機。
【発明の詳細な説明】
【技術分野】
【０００１】  本発明は、スクリュー型塵芥貯留機に関するものである。
【背景技術】
【０００２】  従来のスクリュー型塵芥貯留機について、つぎのような特徴をもっている。
（イ）投入口と排出口を、貯留室と同じ前面側に設ける。貯留機を簡易な構造にし、経済的な設置場所に小さくしている。
（ロ）１本の片持ちのスクリューを可逆回転に切り替える。投入口と排出口を両用にし、スクリューを経済的な構造にしている。
（ハ）スクリューを可逆回転にするため、スクリューの片持ちの軸を貯留室の後壁に貫通している。
【特許文献１】実用新案登録番号２５２２０５７号「塵芥貯留装置」
【特許文献２】特公昭５５−２５６６「塵芥貯留処理装置」
【発明の開示】
【発明が解決しようとする課題】
【０００３】  そのために次のような問題点があった。
（イ）可逆回転のスクリューの軸を貯留室の後壁に貫通し、軸を軸受に枢着した場合、とくに紐状のゴミを軸受と軸の隙間に挟めて巻き込め、回転不能にする。
（ロ）ゴミを投入口より貯留室の後方へ移送する場合、右巻きの羽根を左回転にすると、ゴミを右方向に偏った状態に蓄積するので、平らになった満量を検知することができない。
本発明は、これらの問題点を解決するためになされたものである。
【課題を解決するための手段】
【０００４】  スクリュー型塵芥貯留機に、貯留室の前面側に投入口と排出口を設けるが、２本のスクリューを使用する。
投入口に１本の投入スクリューを後方へゴミを送り、また排出口に１本の排出スクリューを前方へゴミを送る構成によって、解決するための手段にすることができる。
（イ）貯留室の前面側に投入口と排出口を設ける。投入口の下に投入室を設け、投入室の下に投入樋を設け、投入樋の下に排出樋を設ける。貯留室の下部に排出樋を設ける。排出樋の前面側に排出口を設ける。
（ロ）投入樋の上に投入スクリューを設ける。投入スクリューに投入羽根と投入軸を構成する。投入軸受を投入樋の前壁に設ける。投入軸の前端の片持ち部分を投入軸受に貫通し枢着し、投入モーターに取付ける。投入スクリューを回転し、後方へゴミを送る。
（ハ）排出樋の上に排出スクリューを設ける。排出スクリューに排出羽根と排出軸を構成する。排出軸受を排出樋の後壁に設ける。排出軸の後端の片持ち部分を排出軸受に貫通して枢着し、排出モーターに取付ける。排出スクリューを回転し前方へゴミを送ることを特徴とする。
【発明の効果】
【０００５】  ゴミを貯留室へ投入する場合は、投入スクリューの自由端より後方へゴミを吐出する。投入スクリューの軸の前端を軸受に貫通するが、ゴミを軸受に巻き込むことはない。ゴミを上部へ堆積し、貯留室の前板より後板へ移送する。
ゴミを貯留室の中央部分へ移送するので、貯留室の左右部分へ偏ることはなく、後方へゴミを移送し満量にする。
ゴミに貯留室より排出する場合は、排出スクリューの自由端より前方へゴミを排出する。排出スクリューの軸の後端を軸受に貫通するが、ゴミを軸受に巻き込むことはない。
したがって、ゴミの巻き込み量やゴミの偏在量の問題を解決し便益にすることができ、経済的な利益は大きくすることができる。
【発明を実施するための最良の形態】
【０００６】  以下、本発明の実施の形態について実施例を説明する。図１に本発明の実施例のスクリュー型塵芥貯留機の側面図を示し、図２に正面図を示す。
貯留室（１）の前面側に投入口（２）と排出口（３）を設ける。貯留室（１）に後板（２３）、前板（２２）、左側板（２５）、右側板（２６）及び上板（２７）を設ける。
投入口蓋（２８）を投入口（２）の上に設ける。投入口（２）の下に投入室（４）を設ける。投入室（４）の下に投入樋（５）を設ける。投入樋（５）の下に排出樋（６）を設ける。貯留室（１）の下部に排出樋（６）を設ける。排出樋（６）の前面側に排出口（３）及び排出口蓋（３６）を設ける。
投入樋（５）の上に投入スクリュー（７）を設ける。
投入スクリュー（７）に投入羽根（８）と投入軸（９）を構成する。
投入軸（９）を横断する投入羽根（８）の外径に対して、投入樋（５）の左側板（２９）、右側板（３０）及び下板（３１）を囲う。
投入軸（９）の後端に自由端部分（２１）を設ける。投入軸（９）の前端に片持部分（１２）を設ける。螺旋状の投入羽根（８）を右巻きにし左回転にすると、投入スクリュー（７）は後へ送り方向になる。
投入軸受（１０）を投入樋（５）の前壁（１１）に設ける。
投入軸（９）の前端の片持部分（１２）を投入軸受（１０）に貫通し枢着し、投入モーター（１３）に取付ける。
排出樋（６）の上に排出スクリュー（１４）を設ける。
排出スクリュー（１４）に排出羽根（１５）と排出軸（１６）を構成する。
排出軸（１６）を横断する排出羽根（１５）の外径に対して、排出樋（６）の左側板（３２）、右側板（３３）及び下板（３４）を囲う。
排出軸（１６）の前端に自由端部分（２４）を設ける。排出軸の後端に片持部分（１９）を設ける。螺旋状の排出羽根（１５）を右巻きにし右回転にすると、排出スクリュー（１４）は前へ送り方向になる。
排出軸受（１７）を排出樋（６）の後壁（１８）に設ける。
排出軸（１６）の後端の片持部分（１９）を排出軸受（１７）に貫通して枢着し、排出モーター（２０）に取付ける。
貯留室（１）の上後方にゴミのための満量検出器（３５）を取付ける。【０００７】  以上のような構成について次のように使用する。
ゴミに貯留室（１）より投入する場合は、投入モーター（１３）を始動し、投入スクリュー（７）を回転する。ついで投入口蓋（２８）を開き、投入口（２）へゴミを投入する。
投入スクリュー（７）の右巻きを左回転にすると、ゴミを後方へ送る。投入スクリュー（７）の自由端部分（２１）より後方へゴミを吐出する。ゴミを上部へ堆積し、貯留室（１）の前板（２２）より後板（２３）へ移送する。
排出スクリュー（１４）を回転しないが、排出スクリュー（１４）の上にゴミを堆積する。ゴミを上部へ堆積し、後方へ移送し満量にする。
満量検出器（３５）でゴミを検知し、投入モーター（１３）及び投入スクリュー（７）を停止し、投入口蓋（２８）を閉鎖する。
ゴミに貯留室（１）より排出する場合は、排出モーター（２０）を始動し、排出スクリュー（１４）を回転する。ついで排出口蓋（３６）を開き、排出口（３）へゴミを排出する。排出スクリュー（１４）の右巻きを右回転にすると、ゴミを前方へ送る。排出スクリュー（１４）の自由端部分（２４）より前方へゴミを排出する。
投入スクリュー（１３）を回転しないが、投入スクリュー（１３）の上にゴミを滞留しない。ゴミの排出を終了すると、排出モーター（２０）及び排出スクリュー（１４）を停止し、排出口蓋（３６）を閉鎖する。
【図面の簡単な説明】
【０００８】
【図１】本発明の実施例のスクリュー型塵芥貯留機の側面図を示す。
【図２】本発明の実施例のスクリュー型塵芥貯留機の正面図を示す。
【符号の説明】
【０００９】      １    貯留室
２    投入口
３    排出口
４    投入室
５    投入樋
６    排出樋
７    投入スクリュー
８    投入羽根
９    投入軸
１０    投入軸受
１１    前壁
１２    片持部分
１３    投入モーター
１４    排出スクリュー
１５    排出羽根
１６    排出軸
１７    排出軸受
１８    後壁
１９    片持部分
２０    排出モーター
【図１】
2005104720.tif 000003
【図２】
2005104720.tif 000004